(57)【特許請求の範囲】
【請求項１】
立設された商品陳列用什器の横桟又は水平線材に係合可能なフック本体と、該フック本体に取付けられた基端部及び商品の吊り下げ部からなるアームと、を備えた商品陳列用フックにおいて、
前記アームは、前記商品吊り下げ部の先端にランプを備え、前記基端部に、前記フック本体に設けた軸によりアームが揺動可能に軸支された軸支部と、前記スイッチ装置の操作部に作用する作用部とを有し、
前記フック本体に前記ランプの電源と、前記アームの揺動により作動するスイッチ装置とを配設し、
前記フック本体又は前記アームに、前記商品吊り下げ部の上昇方向に該アームを揺動させる付勢手段を備え、
前記アームは、商品が吊り下げられているとき、商品の荷重により前記商品吊り下げ部の上昇が抑制され、吊り下げられた商品が全て外されると、前記付勢手段により前記商品吊り下げ部の上昇方向に揺動されて、前記スイッチ装置がオンに作動するように、前記基端部の作用部が前記スイッチ装置の操作部に作用し、前記ランプを点灯させるようにしたことを特徴とする商品陳列用フック。
【請求項２】
前記付勢手段は、ばね部材又は錘であることを特徴とする請求項１に記載の商品陳列用フック。
【請求項３】
前記スイッチ装置の操作部は、該スイッチ装置のケース面に対し出没自在に形成されたスイッチボタンであり、該スイッチボタンが、前記アームの揺動平面上に、該アームの基端部の作用部により押圧され、又は該作用部から解放されたときに該スイッチ装置がオンに作動するように配置されていることを特徴とする請求項１に記載の商品陳列用フック。
【請求項４】
前記スイッチ装置は、ケース内に収納されたマイクロスイッチ本体と、ケース面に設けられたスイッチボタンとスイッチレバーとから構成される操作部とを備えるマイクロスイッチであり、
前記スイッチレバーは、一端部が前記ケース面に取付けられ他端部が前記アームの基端部の作用部に接し、該作用部が前記スイッチレバーの他端部を押圧したとき前記スイッチボタンが押圧されることにより、又は、該作用部が前記スイッチレバーの他端部を解放したとき前記スイッチボタンが解放されることにより、前記マイクロスイッチがオンに作動するようにしたことを特徴とする請求項１に記載の商品陳列用フック。
【請求項５】
前記フック本体は、前記商品陳列用什器への係合部と、アーム支持ユニットとを有し、
前記係合部は、前記商品陳列用什器の横桟又は水平線材を収容可能な下向き凹部を有し、
前記アーム支持ユニットは、該下向き凹部の延伸方向に対して直交方向に延伸する上向き凹部を有し、該上向き凹部を形成する両支持壁に架設された前記軸により前記アームの基端部を揺動可能に軸支したことを特徴とする請求項１〜４のいずれかに記載の商品陳列用フック。
【請求項６】
前記フック本体の係合部に、前記電源と、電源スイッチとを配設したことを特徴とする請求項５に記載の商品陳列用フック。
【請求項７】
前記ランプは、ＬＥＤランプであることを特徴とする請求項１〜６のいずれかに記載の商品陳列用フック。
【発明の詳細な説明】
【技術分野】
【０００１】
本発明は、立設された商陳列用什器の横桟又は水平ワイヤ、水平鉄線等の水平線材に係合可能なフック本体と、該フック本体に取付けられた基端部及び商品の吊り下げ部からなるアームと、を備えた商品陳列用フックに関する。
【背景技術】
【０００２】
近年、対面販売しないスーパー、コンビニ等の店舗において商品を陳列するために、立設された商品陳列用什器が多用されている。この種の商品陳列用什器は、水平及び垂直フレームから形成される外枠の中に、多数の横桟を取付けたもの、ワイヤ、鉄線等を格子状に組んで取付けたもの等がある。
【０００３】
商品陳列用フックは、金属製又は合成樹脂製のフック本体と商品吊り下げ用アーム（以下「アーム」という。）とを有し、フック本体は、上記した商品陳列用什器の横桟又は水平ワイヤ、水平鉄線等の水平に延びる線材に係合可能に形成されている。アームは、各種多様な商品をアーム毎に種別して吊り下げて陳列できるように、基端部がフック本体に取付けられ、吊り下げ部が商品陳列用什器により形成される垂直面から突出するように形成されている。
【０００４】
従来の商品陳列用フックは、一例として、特許文献１及び特許文献２で提案されている。商品は、アームに吊り下げできるように、穴が空いているか又は鉤状に形成された吊り下げ部を有する包装を備えている。買い物客は、商品を購入したり手に取って確認したりするため、商品をアームから抜き外し又は取り外す。
【特許文献１】特開２００４―２３６９７５号公報
【特許文献２】特開２００２―７８５７８号公報
【０００５】
そして、ある一本のアームに吊り下げられた商品が全てそのアームから外されると、そのアームに割り当てられた商品が補充される。対面販売しない店舗にとっては、アームから商品の全てが外され、商品陳列用フックの商品が空になった場合、速やかに新たな商品を補充できるようにすることは、販売促進上有利である。そのためには、売り手側は、多数の商品陳列用フックの中から商品が空になっているものを早期に見つけ出し、絶えず所謂「売れ筋商品」を発見する努力が必要である。
【発明の開示】
【発明が解決しようとする課題】
【０００６】
ところで、販売効率上一つの商品陳列用什器に多数の商品を陳列することが望まれので、多数の商品陳列用フックが一つの商品陳列用什器の横桟又は水平線材に蜜に配置されていることが多い。そのため、販売員が店舗に配置した複数の商品陳列用什器に取付けた多数の商品陳列用フックを常時見回り、その中から商品が空になっている個々の商品陳列用フックを見つけ出すことは、容易でない。
【０００７】
そこで本発明は、上記事情に鑑み創出したもので、販売員が店舗に配置した多数の商品陳列用フックの中から商品が空になっているものを早期に見つけ出し、特定することを容易にすることを課題とし、商品が空の商品陳列用フックに関する情報を迅速かつ容易に得ることが出来る商品陳列用フックを提供することを目的とする。
【課題を解決するための手段】
【０００８】
上記課題を解決するため、請求項１の発明は、立設された商品陳列用什器の横桟又は水平線材に係合可能なフック本体と、該フック本体に取付けられる基端部及び商品の吊り下げ部からなるアームと、を備えた商品陳列用フックにおいて、前記アームは、前記商品吊り下げ部の先端にランプを備え、前記基端部に前記フック本体に設けた軸により揺動可能に軸支された軸支部と、前記スイッチ装置の操作部に作用する作用部とを有し、前記フック本体に前記ランプの電源と、前記アームの揺動により作動するスイッチ装置とを配設し、前記フック本体又は前記アームに、前記商品吊り下げ部の上昇方向にアームを揺動させる付勢手段を備え、前記アームは、商品が吊り下げられているとき、商品の荷重により前記商品吊り下げ部の上昇が抑制され、吊り下げられた商品が全て外されると、前記付勢手段により前記商品吊り下げ部の上昇方向に揺動されて、前記スイッチ装置がオンに作動するように、前記基端部の作用部が前記スイッチ装置の操作部に作用し、前記ランプを点灯させるようにしたことを特徴とする。
【０００９】
請求項２の発明は、前記付勢手段が、ばね部材又は錘であることを特徴とする。
【００１０】
請求項３の発明は、前記スイッチ装置の操作部が、該スイッチ装置のケース面に対し出没自在に形成されたスイッチボタンであり、該スイッチボタンが、前記アームの揺動平面上に、該アームの基端部の作用部により押圧され、又は該作用部から解放されたときに該スイッチ装置がオンに作動するように配置されていることを特徴とする。
【００１１】
請求項４の発明は、前記スイッチ装置が、ケース内に収納されたマイクロスイッチ本体と、ケース面に設けられたスイッチボタンとスイッチレバーとから構成される操作部とを備えるマイクロスイッチであり、前記スイッチレバーが、一端部が前記ケース面に取付けられ他端部が前記アームの基端部の作用部に接し、該作用部が前記スイッチレバーの他端部を押圧したとき前記スイッチボタンが押圧されることにより、又は、該作用部が前記スイッチレバーの他端部を解放したとき前記スイッチボタンが解放されることにより、前記マイクロスイッチがオンに作動するようにしたことを特徴とする。
【００１２】
請求項５の発明は、前記フック本体が、前記商品陳列用什器への係合部と、アーム支持ユニットとを有し、前記係合部が、前記商品陳列用什器の横桟又は水平線材を収容可能な下向き凹部を有し、前記アーム支持ユニットが、該下向き凹部の延伸方向に対して直交方向に延伸する上向き凹部を有し、該上向き凹部を形成する両支持壁に架設された前記軸により前記アームの基端部を揺動可能に軸支したことを特徴とする。
【００１３】
請求項６の発明は、前記フック本体の係合部に、前記電源と、電源スイッチとを配設したことを特徴とする。
【００１４】
請求項７の発明は、前記ランプが、ＬＥＤランプであることを特徴とする。
【発明の効果】
【００１５】
本発明によれば、アームは、商品吊り下げ部の先端にランプを備え、基端部に、フック本体に設けた軸によりアームが揺動可能に軸支された軸支部と、スイッチ装置の操作部に作用する作用部とを有し、フック本体にランプの電源と、アームの揺動により作動するスイッチ装置とを配設し、フック本体又はアームに、商品吊り下げ部の上昇方向にアームを揺動させる付勢手段を備え、アームは、商品が吊り下げられているとき、商品の荷重により商品吊り下げ部の上昇が抑制され、吊り下げられた商品が全て外されると、付勢手段により商品吊り下げ部の上昇方向に揺動されて、スイッチ装置がオンに作動するように、基端部の作用部がスイッチ装置の操作部に作用し、ランプを点灯させるようにしたので、商品が空になりアーム先端のランプが点灯する商品陳列用フックを多数の中から迅速かつ容易に見つけ出すことができる。
【００１６】
付勢手段を、ばね部材又は錘としたので、吊り下げられた商品が全て外されると同時に、本発明によるアームは、ばね部材の復元力又は錘の荷重により、商品吊り下げ部の上昇方向に確実に揺動させることができる。
【００１７】
スイッチ装置の操作部を、スイッチ装置のケース面に対し出没自在に形成されたスイッチボタンとし、スイッチボタンを、アームの揺動平面上に、アームの基端部の作用部により押圧され、又は作用部から解放されたときにスイッチ装置がオンに作動するように配置したので、本発明によるアームが商品吊り下げ部の上昇方向に揺動することにより、スイッチボタンは確実にオンに作動させることができる。
【００１８】
スイッチ装置を、ケース内に収納されたマイクロスイッチ本体と、ケース面に設けられたスイッチボタンとスイッチレバーとから構成される操作部とを備えるマイクロスイッチとし、スイッチレバーを、一端部がケース面に取付けられ他端部がアームの基端部の作用部に接し、作用部がスイッチレバーの他端部を押圧したときスイッチボタンが押圧されることにより、又は、作用部がスイッチレバーの他端部を解放したときスイッチボタンが解放されることにより、マイクロスイッチがオンに作動するようにしたので、マイクロスイッチを採用したことによりフック本体を小型化できると共に、スイッチレバー及びスイッチボタンは確実にオンに作動させることができる。
【００１９】
フック本体を、商品陳列用什器への係合部と、アーム支持ユニットとから構成し、係合部が、商品陳列用什器の横桟又は水平線材を収容可能な下向き凹部を有し、アーム支持ユニットが、下向き凹部の延伸方向に対して直交方向に延伸する上向き凹部を有し、上向き凹部を形成する両支持壁に架設された軸によりアームの基端部を揺動可能に軸支したので、フック本体は構造が簡単であり、一体成形が可能であるので、安価に製造できる。
【００２０】
フック本体の係合部に、電源と、電源スイッチとを配設したので、本発明によるフック本体は、電源とその切替スイッチの両荷重により、商品陳列用什器の横桟又は水平線材に安定して係合することができる。また、アームの商品吊り下げ部の上昇方向にアームが揺動してランプが点灯しているとき、切替スイッチをオフに切替えるだけで、ランプを適切かつ容易に消灯することができる。
【００２１】
ランプをＬＥＤランプとしたので、長期間使用できる商品陳列用フックを得ることができる。
【発明を実施するための最良の形態】
【００２２】
次に、本発明の商品陳列用フックの第一の実施形態を図面に基づき説明する。なお、図１は、商品陳列用什器の横桟に取付けられる本発明に係る商品陳列用フックの第一の実施形態の斜視図を示し、図２は、図１の実施形態の平面図を示し、図３は、図２のＡ-Ａ線に沿う矢示の断面図であって、商品が吊り下げられた状態を示し、図４は、同じく図２のＡ-Ａ線に沿う矢示の断面図であって、商品が外されて空になった状態を示し、図５は、本発明の実施形態の電気回路図を示す。
【００２３】
図１に示す商品陳列用フック１は、フック本体３と、商品吊り下げ用アーム（以下「アーム」という。）４とからなり、アーム４の商品吊り下げ部４１の先部４１’は、商品の抜け外れ防止のため上方に傾斜しており、その先端にはＬＥＤランプ５が装着されている。
【００２４】
フック本体３は、商品陳列用什器（不図示）の角形鋼管等からなる二点鎖線で示した横桟２に係合して使用される。図３に示すように、フック本体３は、横桟２の上面２１に載置される基板３１と、基板３１の前後端から横桟２の前面２２及び後面２３に沿って垂下するように設けられた前後の垂下壁３２、３２’とからなる係合部３０を有する。係合部３０の下向き凹部３３内に、横桟２が収容される。
【００２５】
また、図３に示すように、フック本体３の係合部３０の上部には、アーム支持ユニット６が設けられている。アーム支持ユニット６は、係合部３０の基板３１の上面に立設されて上向き凹部６６を形成する一対の支持壁６１、６１から構成される。軸７が両支持壁６１、６１間に架設されている。アーム４は、この軸７によりアーム支持ユニット６の上向き凹部６６内に揺動可能に収容されている（図１参照）。
【００２６】
係合部３０の前方の垂下壁３２は上方向に、ストッパの役割を果たす延設部３４を有する。アーム４の商品吊り下げ部４１に商品が吊り下げられているとき、アーム４は延設部３４により下方へ揺動せず、ほぼ水平に保持される。
【００２７】
延設部３４近傍の基板３１の上面には、凹部３６が形成されている。凹部３６と延設部３４は、コイルばね８の収容部を構成する。コイルばね８は、アーム４の基端部４２において、軸７に対する商品吊り下げ部４１側を上昇させる方向に押圧するように、この収容部に配設されている。なお、コイルばね８の代わりに、板ばね等、他種のばね部材を使用できる。
【００２８】
図１〜図３に示すように、アーム４の基端部４２の上部には、マイクロスイッチ９が固設されている。マイクロスイッチ９のケース９１の下面からスイッチボタン９２が突出し、ケース９１下面におけるアーム４の商品吊り下げ部４１側の端部には、アーム４の基端部４２の末端部４２２に向かって延びて接触する自由端９３１を有するスイッチレバー９３が固設されている。ケース９１の上面にはマイクロスイッチ９の端子９４が設けられ、そこから図示しないリード線がアーム４の先部４１’に装着したＬＥＤランプ５の端子と、後述する電池１０’の端子とに配線されている（図５参照）。
【００２９】
なお、図示する実施形態では、アーム支持ユニット６に収容されたアーム４の基端部４２の上方にマイクロスイッチ９が設けられ、軸７に対する対角線上の下方にコイルばね８が取付けられているが、この取付け配置に限定されるものではなく、基端部４２に対するマイクロスイッチ９とコイルばね８の配置を逆にし、或いは、軸７に対する片側に、基端部４２に対する上下の関係でマイクロスイッチ９とコイルばね８を配置することもできる。
【００３０】
フック本体３の係合部３０の後方の垂下壁３２’の外壁には、電源として電池１０’が収納された電源ボックス１０が取付けられ、電源ボックス１０の上面には電池１０’の端子（不図示）が設けられている。なお、後方の垂下壁３２’の横幅は電源ボックス１０の取付け幅に合わせたので、前方の垂下壁３２の横幅より大きく形成されている。電源ボックス１０上面の上側には、電源スイッチ１１が取付けられ、電源スイッチ１１のケース下面には端子（不図示）が設けられ、そこから図示しないリード線が電池１０’の端子と、マイクロスイッチ９の端子９４に配線されている（図５参照）。
【００３１】
なお、この実施形態では、フック本体３の係合部３０は商品陳列用什器の横桟２に係合可能な下向き凹部３３を有するが、横桟に限らず、水平ワイヤ、水平鉄線等の水平線材に係合可能な構造の下向き凹部とすることもできる。また、アーム支持ユニット６を構成する支持壁６１、６１は、フック本体３の係合部３０と一体に合成樹脂で成形されているが、これに限らず、金属などで、フック本体３の係合部３０と別体に形成してもよい。
【００３２】
また、光源として、照度、消費電力、寿命、耐久性等に優れたＬＥＤランプを使用しているが、これに限らず、蛍光ランプ、その他のランプを使用してもよい。
また、本発明の商品陳列用フックに用いるランプに赤・青・黄・緑等の異なる色のものを用意し、色毎に吊り下げ商品を予め分類しておけば、本発明の商品陳列用フックは、一見するだけで空になった商品の種別をランプの色で容易に判別することができる。
【００３３】
次に、本発明の商品陳列用フックの第一の実施形態の動作例を図３、図４、図５に基づいて説明する。
【００３４】
図３に示すように、商品１２がアーム４に吊り下げられた状態では、コイルばね８の弾発力に抗し商品１２の荷重により、アーム４の商品吊り下げ部４１ないし先部４１’は支持壁６１、６１間に架設された軸７を中心としてストッパの役割を有する延設部３４の上面まで下方に揺動する。一方、アーム４の基端部４２の末端部４２２は、上方に揺動するので、スイッチレバー９３の自由端部９３１を上方に向かって押圧する。これにより、スイッチレバー９３の中間部がスイッチボタン９２を押圧する。これらのスイッチボタン９２及びスイッチレバー９３は、マイクロスイッチ９の操作部を構成し、基端部４２の末端部４２２は、マイクロスイッチ９の操作部に作用するアーム基端部４２の作用部を構成する。
【００３５】
図３に示すように、商品１２がアーム４の商品吊下げ部４１に吊り下げられスイッチボタン９２が押圧されている状態では、図５に示すように、マイクロスイッチ９はオフの状態にある。従って、商品１２が商品吊下げ部４１に吊り下げられスイッチボタン９２が押圧されている限り、電源スイッチ１１がオンの状態であっても、マイクロスイッチ９は作動しないので、電池１０’の電圧はＬＥＤランプ５に通電せず、ＬＥＤランプ５は点灯しない。なお、マイクロスイッチ９とアーム４との配置関係を変更することにより、スイッチボタン９２が押圧されたとき、マイクロスイッチ９が作動するように電気回路を構成することも可能である。
【００３６】
図４に示すように、商品１２が商品吊り下げ部４１から外された状態では商品１２の荷重は無くなるので、コイルばね８の復元力でその自由端８２が基端部４２の軸支部４２３の商品吊り下げ部４１側を押上げることにより、アーム４の商品吊り下げ部４１ないし先部４１’は、軸７を中心として上方に向かって図中反時計方向Ｂに揺動する。一方、アーム４の基端部４２の末端部４２２は、下方に向かって同じく図中反時計方向Ｂに揺動するので、スイッチレバー９３の自由端部９３１を上方に向かって押圧する力は解除される。これにより、スイッチレバー９３の中間部がスイッチボタン９２の頭部を押圧する力も解除され、スイッチボタン９２は解放される。
【００３７】
図４の実施形態において、商品１２が商品吊り下げ部４１から外され、スイッチボタン９２が解放されている状態では、電気回路は、図５に示すように、マイクロスイッチ９がオンに作動するように構成されている。従って、電源スイッチ１１がオンの状態であれば、電池１０’の電圧はＬＥＤランプ５に通電し、ＬＥＤランプ５は点灯する。
【００３８】
アーム４の先部４１’に装着したＬＥＤランプ５の点灯により、商品が空になった商品陳列用フックを多数の商品陳列用フックの中から容易に見つけ出すことができるので、商品の補充を迅速に行うことが出来る。そして、商品が補充されない限り、ＬＥＤランプ５は点灯し続け、商品の補充を喚起し続けるように使用することが出来る。不足した商品の在庫が無い場合、商品の補充ができるまでの間、電源スイッチ１１をオフに切り替えてＬＥＤランプ５に通電しないようにすることができる。そして、商品が手元に届き、電源スイッチ１１をオンにセットし、商品をアーム４に吊り下げると、スイッチボタン９２が押圧され、ＬＥＤランプ５に通電されなくなるので、ＬＥＤランプ５は消灯することになる。
【００３９】
次に、ばね部材に代えて錘を用いた、本発明の商品陳列用フックの第二の実施形態を図６に基づき説明する。なお、図６は、商品が外されて空になった状態の断面図を示す。
【００４０】
図６に示す第二の実施形態では、アーム４の基端部４２において、末端部４２２’の下部範囲に、錘８’が取付けられている。錘８’は基端部４２と別体に形成されているが、一体形成されていても良く、金属製でも合成樹脂製でも良い。
【００４１】
次に、本発明の商品陳列用フックの第二の実施形態の動作例を図５、図６に基づいて簡単に説明する。
図６に示すように、商品１２が商品吊り下げ部４１から外された状態では商品１２の荷重は無くなるので、錘８’の荷重によりアーム４の基端部４２の末端部４２２’は、下方に向かって図中反時計方向Ｂに揺動する。そうすると、スイッチレバー９３の自由端部９３１を上方に向かって押圧する力は解除される。これにより、スイッチレバー９３の中間部がスイッチボタン９２の頭部を押圧する力も解除され、スイッチボタン９２は解放され、マイクロスイッチ９がオンに作動し、ＬＥＤランプ５が点灯する。
なお、商品１２がアーム４の商品吊り下げ部４１に吊り下げられた状態では、上記した第一の実施形態の動作例と同一であるから、その説明は省略する。
【図面の簡単な説明】
【００４２】
【図１】本発明の第一実施形態の斜視図。
【図２】図１に示す実施形態の平面図。
【図３】図２のＡ-Ａ線に沿う矢示の断面図であって、図１に示す実施形態において商品が吊り下げられた状態を示す。
【図４】図２のＡ-Ａ線に沿う矢示の断面図であって、図１に示す実施形態において商品が外された状態を示す。
【図５】図１に示す実施形態の電気回路図。
【図６】本発明の第二実施形態の断面図であって、商品が外された状態を示す。
【符号の説明】
【００４３】
１  …商品陳列用フック
３  …フック本体
３０…係合部
３１…３０の基板
３２…前方の垂下壁
３２’…後方の垂下壁
３３…下向き凹部
３４…３２の延設部
３６…３１の凹部
４  …アーム
４１…４の商品吊り下げ部
４１’…４１の先部
４２…４の基端部
４２２…４２の末端部
４２３…４２の軸支部
５  …ＬＥＤランプ
６  …アーム支持ユニット
６１…支持壁
６６…上向き凹部
７  …軸
８  …コイルばね
８’…錘
８１…８の基端
８２…８の自由端
９  …マイクロスイッチ
９１…９のケース
９２…スイッチボタン
９３…スイッチレバー
９３１…９３の自由端
９４…端子
１０…電源ボックス
１０’…電池
１１…電源スイッチ
１２…商品
【図１】
0004763385.tif 000002
【図２】
0004763385.tif 000003
【図３】
0004763385.tif 000004
【図４】
0004763385.tif 000005
【図５】
0004763385.tif 000006
【図６】
0004763385.tif 000007